(57)【要約】【課題】給水加熱器を外部蒸気により加熱する際、給水加熱器の器内圧力を適切に制御することにより、給水加熱システムに不具合が生じないようにした汽力発電プラントを提供する。【解決手段】プラント外部の蒸気を、給水加熱器の加熱蒸気に利用する汽力プラントにおいて、給水が直列に流れるように配置された複数個の給水加熱器と、各給水加熱器に蒸気タービンの抽気を供給するタービン抽気ラインと、タービン抽気圧力を検出する抽気圧力検出手段と、蒸気流量調整弁を備え前記給水加熱器内に外部蒸気を供給する外部蒸気供給ラインと、前記給水加熱器の器内圧力を検出する器内圧力検出手段と、前記抽気圧力検出手段および器内圧力検出手段の検出信号を入力し、前記各給水加熱器相互間の吐出給水圧力が予定の関係となるように前記蒸気流量調整弁の開度を調整して、給水加熱器の器内圧力を制御する圧力制御装置とから構成する。【選択図】図１
2004190546.tif 000002
【特許請求の範囲】
【請求項１】
プラント外部の蒸気を、給水加熱器の加熱蒸気に利用する汽力プラントにおいて、
給水が直列に流れるように配置された複数個の給水加熱器と、
各給水加熱器に蒸気タービンの抽気を供給するタービン抽気ラインと、
タービン抽気圧力を検出する抽気圧力検出手段と、
蒸気流量調整弁を備え前記給水加熱器内に外部蒸気を供給する外部蒸気供給ラインと、
前記給水加熱器の器内圧力を検出する器内圧力検出手段と、
前記抽気圧力検出手段および器内圧力検出手段の検出信号を入力し、前記各給水加熱器相互間の吐出給水圧力が予定の関係となるように前記蒸気流量調整弁の開度を調整して、給水加熱器の器内圧力を制御する圧力制御装置
とから構成したことを特徴とする汽力発電プラント。
【請求項２】
前記抽気圧力検出手段は、外部蒸気が供給される給水加熱器のタービン抽気圧力を検出して前記圧力制御装置に入力することを特徴とする請求項１記載の汽力発電プラント。
【請求項３】
前記抽気圧力検出手段は、外部蒸気が供給される給水加熱器を基準にして次の段の給水加熱器および前の段の給水加熱器のうち少なくとも一つのタービン抽気圧力を検出して前記圧力制御装置に入力することを特徴とする請求項１記載の汽力発電プラント。
【請求項４】
プラント外部の蒸気を、給水加熱器の加熱蒸気に利用する汽力プラントにおいて、
給水が直列に流れるように配置された複数個の給水加熱器と、
各給水加熱器に蒸気タービンの抽気を供給するタービン抽気ラインと、
蒸気流量調整弁を備え前記給水加熱器内に外部蒸気を供給する外部蒸気供給ラインと、
前記給水加熱器の器内圧力を検出する器内圧力検出手段と、
発電機の出力を検出し、検出値からそのときの運転状態における給水加熱器の目標抽気圧力を算出する目標抽気圧力算出手段と、
この目標抽気圧力算出値と器内圧力検出手段の検出信号とにより、前記各給水加熱器相互間の吐出給水圧力が予定の関係となるように前記蒸気流量調整弁の開度を調整して、給水加熱器の器内圧力を制御する圧力制御装置
とから構成したことを特徴とする汽力発電プラント。
【請求項５】
プラント外部の蒸気を、給水加熱器の加熱蒸気に利用する汽力プラントにおいて、
給水が直列に流れるように配置された複数個の給水加熱器と、
各給水加熱器に蒸気タービンの抽気を供給するタービン抽気ラインと、
蒸気流量調整弁を備え前記給水加熱器内に外部蒸気を供給する外部蒸気供給ラインと、
外部蒸気が供給される給水加熱器の器内圧力を検出する器内圧力検出手段と、
前記外部蒸気が供給される給水加熱器を基準にして次の段および前の段の給水加熱器のうち少なくとも一つの器内圧力を検出する器内圧力検出手段と、
これら器内圧力検出手段の検出信号を入力し、前記各給水加熱器相互間の吐出給水圧力が予定の関係となるように前記外部蒸気流量調整弁の開度を調整して、給水加熱器の器内圧力を制御する圧力制御装置
とから構成したことを特徴とする汽力発電プラント。
【請求項６】
プラント外部の蒸気を、給水加熱器の加熱蒸気に利用する汽力プラントにおいて、
給水が直列に流れるように配置された複数個の給水加熱器と、
前記タービン抽気ラインのうち、給水の流れ方向に前後して位置する給水加熱器にそれぞれ蒸気タービンの抽気を供給するタービン抽気ラインと、
これらタービン抽気ラインのそれぞれに設けられ圧力を検出する抽気圧力検出手段と、
給水の流れ方向に前後して位置する給水加熱器にそれぞれ設けられ器内圧力を検出する器内圧力検出手段と、
外部蒸気流量調整弁を備え前記給水の流れに前後する前記給水加熱器内にそれぞれ外部蒸気を供給する外部蒸気供給ラインと、
前記複数個の抽気圧力検出手段および複数個の器内圧力検出手段の検出信号を入力し、前記各給水加熱器相互間の吐出給水圧力が予定の関係となるように前記蒸気流量調整弁の開度を調整して、給水加熱器の器内圧力を制御する圧力制御装置
とから構成したことを特徴とする汽力発電プラント。
【発明の詳細な説明】
【０００１】
【発明の属する技術分野】
本発明は汽力発電プラントに係わり、特に外部蒸気で給水加熱器を加熱し得るように構成された汽力発電プラントに関する。
【０００２】
【従来の技術】
従来、複数の汽力発電プラントを有する発電所においては、ある発電プラントに発電に使用していない余剰蒸気が多量に生じた場合、この余剰蒸気を他の発電プラントに融通することにより、融通先の汽力発電プラントの燃料費を節約し、発電所全体として効率向上を図るような運用を行なっている。図８は従来の汽力発電プラントにおける復水および給水系統の概略系統図である。
【０００３】
図８において、１はボイラ、２−１、２−２および２−３はそれぞれ高圧タービン、中圧タービンおよび低圧タービンであり、そして３は発電機である。これらタービン２−１〜２−３および発電機３はタンデム状に配列されている。なお、各タービン２−１〜２−３に設けられた符号♯１〜♯８は蒸気の抽気段を表しており、これら抽気段♯１〜♯８から温度、圧力の異なる蒸気をそれぞれ抽気し、タービン抽気ライン７−１、７−２、７−３、…、７−８を介して後述する給水加熱器に供給するように構成している。
【０００４】
前記低圧タービン２−３から排気された蒸気は復水器４で復水されたのち、復水ポンプ５によって加圧されてボイラ給水ライン６に送られる。このボイラ給水ライン６には給水を加熱して前記ボイラ１に給水するための給水加熱器６−１、６−２、…、６−８を直列（カスケード）接続しており、しかもこれらの給水加熱器６−１、６−２、…、６−８は前記タービン抽気ライン７−１、７−２、７−３、…、７−８から供給される温度、圧力の異なるタービン抽気によってそれぞれ加熱されるように構成されている。８−１、８−２は給水ポンプである。
【０００５】
この図８から自明なように、給水は給水加熱器６−８から６−７、６−６、…、６−１と通過していくにしたがって出口給水温度が上昇するように構成されている。なお、図中の矢印の向きは蒸気あるいは給水（復水）の流れる向きを表している。
【０００６】
しかもこの図８の汽力発電プラントは、他の汽力発電プラント等からの余剰蒸気を受け入れ、その蒸気によって給水加熱器を加熱することによって、その分自プラントの抽気量を少なくし、自プラントの燃料費を節約するようにしたものである。
【０００７】
この図８の例では第６給水加熱器６−６のタービン抽気ライン７−６が外部蒸気の圧力、温度条件に見合うため、タービン抽気ライン７−６と外部蒸気ライン９とを、それぞれ第６抽気逆止弁１０、第６抽気止め弁１１の直列回路および外部蒸気逆止弁１２、外部蒸気止め弁１３の直列回路を介して接続するように構成している。
【０００８】
なお、外部蒸気ライン９から供給される外部蒸気９ｓをタービン抽気ライン７−６に流入させるためには、外部蒸気９ｓの圧力をタービン抽気ライン７−６のタービン抽気圧力よりも多少高く設定する必要があるが、前記外部蒸気９ｓの圧力が発電機３の出力変化と関係なく通常一定であるのに対して、蒸気タービン２−３の各抽気圧力は発電機３の出力変化に伴い変化する。
【０００９】
この様子を図９のグラフで示す。この場合、外部蒸気９ｓの圧力が発電機３の出力最大時の抽気段♯６の抽気圧力最大値よりも多少高くなっている。なお、図９において、ｐ５は第５段、ｐ６は第６段、ｐ７は第７段のタービン抽気圧力である。
【００１０】
【発明が解決しようとする課題】
第６給水加熱器６−６の器内圧力は、外部蒸気ライン９から供給される蒸気９ｓの流量が小さい場合、蒸気タービン２−３の第６抽気段♯６の抽気圧力すなわちタービン抽気ライン７−６の抽気圧力にほぼ等しくなる。しかし、発電機３の出力が下がったことが原因で第６抽気段♯６の抽気圧力が下がり、タービン抽気量が減り、逆に外部蒸気量９ｓがより多くなると、第６給水加熱器６−６の器内圧力は外部蒸気ライン９の蒸気圧力９ｓにほぼ等しくなる。
【００１１】
第６給水加熱器６−６の出口給水温度は、その器内圧力の飽和温度とほぼ同じ温度になる。よって、外部蒸気９ｓの流入のない状態では、第６給水加熱器６−６の出口給水温度は、第６抽気♯６の圧力にて決まる第６給水加熱器６−６の器内圧力の飽和温度とほぼ同じ温度になる。
【００１２】
一方、外部蒸気９ｓにより給水加熱器内圧力が支配されるときは、通常のタービン抽気ラインの抽気圧力より高い圧力となることがある。この場合、第６給水加熱器６−６の出口給水温度は、タービン抽気で加熱されているときより高温となり、場合によっては、次段の第５給水加熱器６−５の器内圧力に近づくか、あるいはこれより高くなる。
【００１３】
万一このような状態になると、第５給水加熱器６−５の出口給水温度は第６給水加熱器６−６の出口給水温度よりも低くなり、この結果第５給水加熱器６−５の第５タービン抽気ライン７−５の加熱蒸気が流れなくなるとか、第６給水加熱器６−６の給水が第５給水加熱器６−５を加熱するなど、給水加熱システムの本来の機能が正常に働かない状態となり、熱損失が生じる状態に至る。
【００１４】
本発明は、給水加熱器を外部蒸気により加熱する際、給水加熱器の器内圧力を適切に制御することにより、給水加熱システムに不具合が生じないようにした汽力発電プラントを提供することを目的とするものである。
【００１５】
【課題を解決するための手段】
上記の目的を達成するため、請求項１に係わる汽力プラントの発明は、プラント外部の蒸気を、給水加熱器の加熱蒸気に利用する汽力プラントにおいて、給水が直列に流れるように配置された複数個の給水加熱器と、各給水加熱器に蒸気タービンの抽気を供給するタービン抽気ラインと、タービン抽気圧力を検出する抽気圧力検出手段と、蒸気流量調整弁を備え前記給水加熱器内に外部蒸気を供給する外部蒸気供給ラインと、前記給水加熱器の器内圧力を検出する器内圧力検出手段と、前記抽気圧力検出手段および器内圧力検出手段の検出信号を入力し、前記各給水加熱器相互間の吐出給水圧力が予定の関係となるように前記蒸気流量調整弁の開度を調整して、給水加熱器の器内圧力を制御する圧力制御装置とから構成したことを特徴とする。
【００１６】
また、請求項４に係わる汽力発電プラントの発明は、プラント外部の蒸気を、給水加熱器の加熱蒸気に利用する汽力プラントにおいて、給水が直列に流れるように配置された複数個の給水加熱器と、各給水加熱器に蒸気タービンの抽気を供給するタービン抽気ラインと、蒸気流量調整弁を備え前記給水加熱器内に外部蒸気を供給する外部蒸気供給ラインと、前記給水加熱器の器内圧力を検出する器内圧力検出手段と、発電機の出力を検出し、検出値からそのときの運転状態における給水加熱器の目標抽気圧力を算出する目標抽気圧力算出手段と、この目標抽気圧力算出値と器内圧力検出手段の検出信号とにより、前記各給水加熱器相互間の吐出給水圧力が予定の関係となるように前記蒸気流量調整弁の開度を調整して、給水加熱器の器内圧力を制御する圧力制御装置とから構成したことを特徴とする。
【００１７】
請求項５に係わる汽力発電プラントの発明は、給水加熱器の加熱蒸気に利用する汽力プラントにおいて、給水が直列に流れるように配置された複数個の給水加熱器と、各給水加熱器に蒸気タービンの抽気を供給するタービン抽気ラインと、蒸気流量調整弁を備え前記給水加熱器内に外部蒸気を供給する外部蒸気供給ラインと、外部蒸気が供給される給水加熱器の器内圧力を検出する器内圧力検出手段と、前記外部蒸気が供給される給水加熱器を基準にして次の段および前の段の給水加熱器のうち少なくとも一つの器内圧力を検出する器内圧力検出手段と、これら器内圧力検出手段の検出信号を入力し、前記各給水加熱器相互間の吐出給水圧力が予定の関係となるように前記外部蒸気流量調整弁の開度を調整して、給水加熱器の器内圧力を制御する圧力制御装置とから構成したことを特徴とする。
【００１８】
さらに、請求項６に係わる汽力発電プラントの発明は、プラント外部の蒸気を、給水加熱器の加熱蒸気に利用する汽力プラントにおいて、給水が直列に流れるように配置された複数個の給水加熱器と、前記タービン抽気ラインのうち、給水の流れ方向に前後して位置する給水加熱器にそれぞれ蒸気タービンの抽気を供給するタービン抽気ラインと、これらタービン抽気ラインのそれぞれに設けられ圧力を検出する抽気圧力検出手段と、給水の流れ方向に前後して位置する給水加熱器にそれぞれ設けられ器内圧力を検出する器内圧力検出手段と、外部蒸気流量調整弁を備え前記給水の流れに前後する前記給水加熱器内にそれぞれ外部蒸気を供給する外部蒸気供給ラインと、前記複数個の抽気圧力検出手段および複数個の器内圧力検出手段の検出信号を入力し、前記各給水加熱器相互間の吐出給水圧力が予定の関係となるように前記蒸気流量調整弁の開度を調整して、給水加熱器の器内圧力を制御する圧力制御装置とから構成したことを特徴とする。
【００１９】
【発明の実施の形態】
以下、本発明の実施の形態について、図面を参照して説明する。ただし、各図を通じて共通する部分には同一符号をつけて重複した説明は省略する。
（第１の実施の形態）
図１は、本発明の第１の実施の形態に係る汽力発電プラントの復水および給水概略系統図である。
【００２０】
この第１の実施の形態は、給水加熱器の器内圧力と、タービン抽気圧力とを検出して、給水加熱器に供給される外部蒸気流量を調整することにより、タービン抽気によって加熱される給水加熱器の出口給水温度，圧力を適正な範囲に制御するようにしたものである。
【００２１】
図１において、２０はタービン抽気ライン７−６に設置されタービン抽気圧力すなわち第６抽気段♯６の圧力を検出する抽気圧力検出器であり、２１は第６給水加熱器６−６の器内圧力を検出する器内圧力検出器である。また、２２は前記外部蒸気ライン９に設けた外部蒸気流量調節弁である。
【００２２】
そして、２３−１は給水加熱器用器内圧力制御装置（以下、単に器内圧力制御装置という）であり、前記抽気圧力検出器２２および器内圧力検出器２１の検出信号を入力する。そして器内圧力制御装置２３−１は、入力したこれらの検出信号から次の（１）式すなわち、
（第６給水加熱器６−６の器内圧力）＝（第６抽気段♯６の圧力）×Ｋ１…（１）
ただし、Ｋ１＝１．０５
が成立するように、前記外部蒸気流量調整弁２２の弁開度を制御して、外部蒸気９ｓの流量を調整する。
【００２３】
この結果、第６給水加熱器６−６の器内圧力は第６抽気段♯６の圧力よりもわずかに高く保たれるので、第６抽気逆止弁１０が閉じられ、第６給水加熱器６−６は外部蒸気９ｓにより加熱される。
【００２４】
この場合、外部蒸気９ｓの流入前に第６給水加熱器６−６を加熱していた第６抽気段♯６の加熱蒸気は、外部蒸気９ｓの流入により不要となるため、蒸気タービン内２−３にて膨張仕事をして、蒸気タービンの出力を増加させる。
このように、本実施の形態によれば、他プラントの余剰蒸気の有効利用により自プラントのボイラ１の燃料節約が可能となる。
【００２５】
また、前述のように、器内圧力制御装置２３−１により、第６給水加熱器６−６の器内圧力は、運転状態における蒸気タービン２−３の第６抽気段♯６の圧力より少し高く保たれるため、その運転状態における第５抽気段♯５の圧力に不自然に近づいたり第５抽気段♯５の圧力より高くなることがないため、給水加熱システムを、外部蒸気９ｓの流入以前と近い状態に保ち、給水加熱システムは本来の働きを続けることができる。
【００２６】
（第２の実施の形態）
図２は、本発明の第２の実施の形態に係る汽力発電プラントの復水および給水概略系統図である。
本実施の形態は、第１の実施の形態における第６抽気の抽気圧力検出に代えて第５抽気段♯５の抽気圧力を検出して器内圧力制御装置２３−２に入力するように構成したことを特徴とするものである。
【００２７】
すなわち、図２において、第５タービン抽気ライン７−５に抽気圧力検出器２４を設置するとともに、第５抽気逆止弁２５および第５抽気止め弁２６を設置する。そして前記抽気圧力検出器２４の検出信号と前記第５給水加熱器６−６の器内圧力検出器２１の検出信号とを器内圧力制御装置２３−２に入力する。
【００２８】
器内圧力制御装置２３−２は、これらの検出信号から例えば次の（２）式
（第６給水加熱器６−６の器内圧力）＝（第５抽気段♯５の圧力）×Ｋ２…（２）
ただし、Ｋ２は図９等から求まる定数であり、例えばＫ２＝０．８
が成立するように、前記外部蒸気流量調整弁２２の弁開度を制御して、外部蒸気９ｓの流量を調整する。
この結果、第６給水加熱器６−６の器内圧力は、第５抽気段♯５の圧力よりもわずかに低い適切な圧力に制御され、外部蒸気による給水加熱が可能となる。
【００２９】
（第３の実施の形態）
図３は、本発明の第３の実施の形態に係る汽力発電プラントの復水および給水概略系統図である。
この第３の実施形態は、器内圧力制御装置２３−３に前記第６給水加熱器６−６の器内圧力検出信号、次段の第５抽気圧力検出信号および前段の第７抽気圧力検出信号を入力し、これら検出信号の条件によって外部蒸気流量調整弁２２の弁開度を調節するようにしたことを特徴とする。
【００３０】
すなわち、器内圧力制御装置２３−３は、第６給水加熱器６−６の器内圧力検出器２１の検出信号と、次段の第５給水加熱器６−５の加熱蒸気である第５タービン抽気ライン７−５に設置した第５抽気圧力検出器２４の検出信号と、さらに前段の第７給水加熱器６−７の加熱蒸気である第７タービン抽気ライン７−７の圧力を検出する第７抽気圧力検出器２７の検出信号を入力する。なお、３５は第７タービン抽気ライン７−７に設けた第７抽気逆止弁、３６は第７抽気止め弁である。
【００３１】
器内圧力制御装置２３−３は、これらの３つの検出信号から次の（３）式
（第６給水加熱器６−６の器内圧力）＝｛（第５抽気♯５の抽気圧力）
＋（第７抽気８の圧力）｝÷Ｋ３  …（３）
ただし、Ｋ３は図９等から求まる定数であり、例えばＫ３＝１．９５
が成立するように、外部蒸気流量調整弁２２を制御することにより、第６給水加熱器の器内圧力を制御する。
【００３２】
本実施の形態によれば、第１の実施の形態と同様に、外部蒸気流量が制御されて第６給水加熱器６−６の器内圧力は適切に制御され、外部蒸気による給水加熱が可能となる。
【００３３】
（第４の実施の形態）
図４は、本発明の第４の実施の形態に係る汽力発電プラントの復水および給水概略系統図である。
本実施の形態は、第６給水加熱器６−６の器内圧力を検出する一方で、発電機３の出力を検出し、これらの検出信号を器内圧力制御装置２３−４に入力して外部蒸気流量を制御するようにしたことを特徴とするものである。
【００３４】
図４において、２８は発電機３の出力電力を検出する電力検出器であり、２９は内部に例えば図９に示す「第６抽気圧力と発電機出力との関係」を記憶情報として有しており、入力された発電機３の電力検出値からその運転状態における第６抽気圧力の目標値を算出する目標抽気圧力算出手段である。
【００３５】
器内圧力制御装置２３−４は、この目標抽気圧力算出手段２９による抽気圧力目標値と、前記第６給水加熱器６−６の器内圧力検出器２１の検出信号とを入力し、前記各給水加熱器相互間の吐出給水圧力が予定の関係となるように前記蒸気流量調整弁２２の開度を調整して、給水加熱器の器内圧力を制御する。
【００３６】
本実施の形態も第１の実施の形態と同様に、外部蒸気流量が制御されて第６給水加熱器６−６の器内圧力は適切に制御され、外部蒸気９ｓによる給水加熱が可能となる。
【００３７】
（第５の実施の形態）
図５は、本発明の第５の実施の形態に係る汽力発電プラントの復水および給水概略系統図である。
本実施の形態は、第６給水加熱器６−６の器内圧力と、次段の第５給水加熱器６−５の器内圧力を検出して、外部蒸気９ｓの流量を制御することを特徴とするものである。
【００３８】
図５において、３０は次段の第５給水加熱器６−５の器内圧力を検出する器内圧力検出器である。器内圧力制御装置２３−５は、この器内圧力検出器３０の検出信号および第６給水加熱器６−５の器内圧力検出器２１の検出信号を入力する。そして、器内圧力制御装置２３−５は、次式（４）すなわち、
（第６給水加熱器６−６の器内圧力）＝（第５給水加熱器６−５の器内圧力）×Ｋ４
…（４）
ただし、Ｋ４は図９のグラフ等から求まる定数などであり、例えばＫ４＝０．８
が成立するように、外部蒸気流量調整弁２２を制御することにより、第６給水加熱器６−６の器内圧力を制御する。なお、この式４は前記の式１と同等である。
【００３９】
本実施の形態も第１の実施の形態と同様に、外部蒸気流量が制御されて、第６給水加熱器６−６の器内圧力は適切に制御され、外部蒸気による給水加熱が可能となる。
【００４０】
（第６の実施の形態）
図６は、本発明の第６の実施の形態に係る汽力発電プラントの復水および給水概略系統図である。
本実施の形態は、第６給水加熱器６−６の器内圧力、次段の第５給水加熱器６−５の器内圧力および前段の第７給水加熱器６−７の器内圧力をそれぞれ検出して器内圧力制御装置２３−６に入力し、外部蒸気９ｓの流量を調整するようにしたものである。
【００４１】
図６において、３１は前段の第７給水加熱器６−７の器内圧力を検出する圧力検出器であり、器内圧力制御装置２３−６は、この圧力検出器３１の検出信号、次段の第５給水加熱器６−５の器内圧力検出器３０の検出信号および第６給水加熱器６−６の器内圧力検出器２１の検出信号を入力する。そして、器内圧力制御装置２３−６は、次式（５）すなわち、
（第６給水加熱器６−６の器内圧力）＝｛（第５給水加熱器６−５の器内圧力）
＋（第７給水加熱器１２の器内圧力）｝÷Ｋ５  …（５）
ただし、Ｋ５は図９のグラフ等から求まる定数などであり、例えばＫ５＝１．９５
が成立するように、外部蒸気流量調整弁２２を制御する。
【００４２】
本実施の形態によれば、前記第１の実施の形態と同様に、外部蒸気流量９ｓが制御されて、第６給水加熱熱器６−６の器内圧力は適切に制御され、外部蒸気による給水加熱が可能となる。
【００４３】
（第７の実施の形態）
図７は、本発明の第７の実施の形態に係る汽力発電プラントの復水および給水概略系統図である。
本実施の形態は、第１の実施の形態で説明した発明を第５給水加熱器６−５に対しても同時に併せて適用したことを特徴とするものである。
【００４４】
図７において、器内圧力制御装置２３−７は第６給水加熱器６−６の器内圧力検出器２１の検出信号、第６タービン抽気ライン７−６の抽気圧力検出器２０の検出信号、第５給水加熱器６−５の器内圧力検出器３０の検出信号および第５タービン抽気圧力検出器２４の検出信号をそれぞれ入力する。
【００４５】
そして、器内圧力制御装置２３−７は、これら４つの検出信号のうち２つの検出信号から前述の（１）式すなわち、
（第６給水加熱器６−６の器内圧力）＝（第６抽気段♯６の圧力）×Ｋ１…（１）
が成立するように、前記外部蒸気流量調整弁２２の弁開度を制御して、外部蒸気９ｓ６の流量を調整する。
【００４６】
これと同時に、残りの２つの検出信号を用いて前記１式と同様の（１´）式すなわち、
（第５給水加熱器６−５の器内圧力）＝（第５抽気♯５の圧力）×Ｋ１…（１´）
が成立するように、外部蒸気流量調整弁３２の弁開度を制御して、外部蒸気９ｓ５の流量を調整する。
【００４７】
この結果、外部蒸気９ｓは、第６給水加熱器６−６および第５給水加熱器６−５に分流してそれぞれに９ｓ６，９ｓ５として供給されるが、それぞれの給水加熱器６−６および６−５の器内圧力は適正に制御されるので、吐出給水温度も適正範囲内に制御され、本来高温側の給水加熱器が低温側の給水加熱器によって、加熱されるような不具合が発生するようなことはない。
【００４８】
【発明の効果】
以上述べたように、本発明によれば、他プラントの余剰蒸気等外部蒸気が供給される給水加熱器の器内圧力をタービン抽気圧力よりも少し高く保たれるように制御するので、外部蒸気を使用した分タービン抽気量が減少し、その結果、自プラントのボイラ燃料を節約することが可能となる。
【００４９】
そのうえ、外部蒸気が供給される給水加熱器の器内圧力は、器内圧力制御装置の働きによりそのときの運転状態における次段の抽気圧力に不自然に近づいたりあるいはそれより高くなることがないため、給水加熱システムを外部蒸気の流入以前と近い状態で運用することができる。
【図面の簡単な説明】
【図１】本発明の第１の実施の形態に係る汽力発電プラントの復水および給水概略系統図。
【図２】本発明の第２の実施の形態に係る汽力発電プラントの復水および給水概略系統図。
【図３】本発明の第３の実施の形態に係る汽力発電プラントの復水および給水概略系統図。
【図４】本発明の第４の実施の形態に係る汽力発電プラントの復水および給水概略系統図。
【図５】本発明の第５の実施の形態に係る汽力発電プラントの復水および給水概略系統図。
【図６】本発明の第６の実施の形態に係る汽力発電プラントの復水および給水概略系統図。
【図７】本発明の第７の実施の形態に係る汽力発電プラントの復水および給水概略系統図。
【図８】従来の汽力発電プラントにおける復水および給水概略系統図。
【図９】各抽気圧力と発電機出力との関係を示す図。
【符号の説明】
１…ボイラ、２−１，２−２，２−３…蒸気タービン、３…発電機、４…復水器、５…復水ポンプ、６…ボイラ給水ライン、６−１〜６−８…給水加熱器、７−１〜７−８…タービン抽気ライン、８−１、８−２…給水ポンプ、９…外部蒸気ライン、１０…第６抽気逆止弁、１１…第６抽気止め弁、１２…外部蒸気逆止弁、１３…外部蒸気止め弁、２０…第６抽気圧力検出器、２１…内圧力検出器、２２…外部蒸気流量調整弁、２３−１〜２３−７…給水加熱器器内圧力制御装置、２４…第５抽気圧力検出器、２５…第５抽気逆止弁、２６…第５抽気止め弁、２７…第７抽気圧力検出器、２８…電力検出器、２９…目標抽気圧力算出手段、３０…第５給水加熱器用器内圧力検出器、３１…第７給水加熱器用器内圧力検出器、３２…外部蒸気流量調節弁、３３…外部蒸気逆止弁、３４…外部蒸気止め弁、３５…第７抽気逆止弁、３６…第７抽気止め弁。
【図１】
2004190546.tif 000003
【図２】
2004190546.tif 000004
【図３】
2004190546.tif 000005
【図４】
2004190546.tif 000006
【図５】
2004190546.tif 000007
【図６】
2004190546.tif 000008
【図７】
2004190546.tif 000009
【図８】
2004190546.tif 000010
【図９】
2004190546.tif 000011